(57)【要約】【課題】種々のコンテンツ表示用データを居室親機に簡便に表示可能なインターホンシステムのサーバ装置を提供する。【解決手段】集合住宅を構成する複数の住居の各々に備えられた居室親機と、複数の住居の居住者にサービスを提供するサービス提供者に関連付けられたサービスサーバ装置と、のそれぞれと通信可能なサーバ装置を提供する。サーバ装置は、複数のテンプレートを含むプラットフォームデータが保持される保持部と、サービスサーバ装置からサービスに関連付けられたコンテンツデータを受信する受信部と、受信したコンテンツデータを、複数のテンプレートのうち少なくとも一つのテンプレートに基づいて、居室親機の表示部へ表示可能な形態のコンテンツ表示用データへと変換する変換部と、変換されたコンテンツ表示用データを、外部ネットワークを通じて各住居の居室親機に送信する送信部と、を備えている。【選択図】図１
2020155810.tif 000002
【特許請求の範囲】
【請求項１】
集合住宅を構成する複数の住居の各々に備えられた居室親機と、前記複数の住居の居住者にサービスを提供するサービス提供者に関連付けられたサービスサーバ装置と、のそれぞれと通信可能なサーバ装置であって、
複数のテンプレートを含むプラットフォームデータが保持される保持部と、
前記サービスサーバ装置から前記サービスに関連付けられたコンテンツデータを受信する受信部と、
受信した前記コンテンツデータを、前記複数のテンプレートのうち少なくとも一つのテンプレートに基づいて、前記居室親機の表示部へ表示可能な形態のコンテンツ表示用データへと変換する変換部と、
変換された前記コンテンツ表示用データを、外部ネットワークを通じて各住居の前記居室親機に送信する送信部と、
を備えている、サーバ装置。
【請求項２】
前記受信部は、前記表示部に表示された前記コンテンツ表示用データに対するユーザ入力に基づく指示信号を前記居室親機から受信し、
前記送信部は、前記指示信号を前記サービスサーバ装置へ送信し、
前記変換部は、前記指示信号に基づく応答信号を前記サービスサーバ装置から受信した場合には、前記応答信号に基づいて前記コンテンツ表示用データを変更し、変更された前記コンテンツ表示用データを、前記送信部を介して各住居の前記居室親機に送信する、請求項１に記載のサーバ装置。
【発明の詳細な説明】
【技術分野】
【０００１】
本発明は、集合住宅に用いられるインターホンシステムに用いられるサーバ装置に関する。
【背景技術】
【０００２】
複数の住居棟で構成される集合住宅向けのインターホンシステムが特許文献１に開示されている。このインターホンシステムの構成では、各住居棟は、インターホン回線（インターホン専用線）を介して制御機と接続されている。
【先行技術文献】
【特許文献】
【０００３】
【特許文献１】特開２００４−２６０６７９号公報
【発明の概要】
【発明が解決しようとする課題】
【０００４】
ところで、集合住宅の各居室に設けられた居室親機へ広告等の様々なコンテンツ情報を送信し、当該コンテンツページを居室親機の表示部に表示させる場合がある。しかしながら、従来は、コンテンツページの送信元であるサービス提供者が各居室親機の表示部に適合したコンテンツページを作成する必要があり、処理が煩雑であった。
【０００５】
そこで、本発明は、種々のコンテンツ表示用データを居室親機に簡便に表示可能なインターホンシステムのサーバ装置を提供することを目的とする。
【課題を解決するための手段】
【０００６】
上記目的を達成するために、本発明のサーバ装置は、
集合住宅を構成する複数の住居の各々に備えられた居室親機と、前記複数の住居の居住者にサービスを提供するサービス提供者に関連付けられたサービスサーバ装置と、のそれぞれと通信可能なサーバ装置であって、
複数のテンプレートを含むプラットフォームデータが保持される保持部と、
前記サービスサーバ装置から前記サービスに関連付けられたコンテンツデータを受信する受信部と、
受信した前記コンテンツデータを、前記複数のテンプレートのうち少なくとも一つのテンプレートに基づいて、前記居室親機の表示部へ表示可能な形態のコンテンツ表示用データへと変換する変換部と、
変換された前記コンテンツ表示用データを、外部ネットワークを通じて各住居の前記居室親機に送信する送信部と、を備えている。
【０００７】
上記構成においては、サーバ装置は、サービスサーバ装置から送信されたコンテンツデータを適式な方式のコンテンツ表示用データへと変換し、当該コンテンツ表示用データを居室親機に送信している。すなわち、例えば各コンテンツデータのサービス提供元である各サービス提供者が、サービスサーバ装置を用いて各居室親機に適合したコンテンツ表示用データを開発する必要がない。また、サービスサーバ装置からのデータ通信方式の変更や更新があった場合でも、サーバ装置により通信方式の変更に対応することで、各居室親機で通信方式の変更を行う必要がない。このように、上記構成によれば、種々のコンテンツ表示用データを居室親機に簡便に表示可能なプラットフォームをサーバ装置によって提供することができる。
【０００８】
また、本発明のサーバ装置において、
前記受信部は、前記表示部に表示された前記コンテンツ表示用データに対するユーザ入力に基づく指示信号を前記居室親機から受信し、
前記送信部は、前記指示信号を前記サービスサーバ装置へ送信し、
前記変換部は、前記指示信号に基づく応答信号を前記サービスサーバ装置から受信した場合には、前記応答信号に基づいて前記コンテンツ表示用データを変更し、変更された前記コンテンツ表示用データを、前記送信部を介して各住居の前記居室親機に送信してもよい。
【０００９】
上記構成によれば、ユーザ入力に基づいてサーバ装置によりコンテンツ表示用データが変更されるため、サービスサーバ装置から変更されたコンテンツ表示用データを提供する必要がない。そのため、コンテンツ表示用データを用いたコンテンツページの切り替え等をサービス提供者側に負担をかけることなく行うことができる。
【発明の効果】
【００１０】
本発明によれば、種々のコンテンツ表示用データを居室親機に簡便に表示可能なインターホンシステムのサーバ装置を提供することができる。
【図面の簡単な説明】
【００１１】
【図１】本発明の実施形態に係るインターホンシステムの構成図である。
【図２】本発明の実施形態に係るサーバ装置のブロック図である。
【図３】インターホンシステムの動作を説明するためのフローチャートである。
【図４】インターホンシステムの動作を説明するための図３に続くフローチャートである。
【図５】居室親機に表示される画面例を示す図である。
【図６】インターホンシステムの変形例を示す構成図である。
【発明を実施するための形態】
【００１２】
以下、本実施形態に係るインターホンシステムおよび当該インターホンシステムに用いられるサーバ装置の一例について、図面を参照して説明する。
図１に示すように、インターホンシステム１は、複数の住居棟（本例では、住居Ａ棟３，住居Ｂ棟４）、および管理棟５などで構成される例えばマンション等の集合住宅２に用いられるシステムである。
【００１３】
複数の住居棟３，４の各々は、居室親機１０と、集合玄関機２０と、管理室親機３０と、棟制御部４０（制御装置の一例）とを備えている。管理棟５は、管理玄関機５０と、管理室親機６０と、管理制御部７０（制御装置の一例）とを備えている。なお、本例では、住居Ａ棟３と住居Ｂ棟４とを同じ構成の住居棟として表しているが、例えば居室親機１０の数（住戸数）、集合玄関機２０の数等は各住居棟３，４によって相違していてもよい。
【００１４】
住居Ａ棟３、住居Ｂ棟４、および管理棟５は、インターネットＮ（外部ネットワークの一例）を介して、プラットフォームサーバ８０（第一サーバまたはサーバ装置の一例）と通信可能に接続されている。本例では、住居Ａ棟３と住居Ｂ棟４の棟制御部４０、および管理棟５の管理制御部７０が、インターネットＮを介して、プラットフォームサーバ８０と通信可能に接続されている。
【００１５】
住居Ａ棟３および住居Ｂ棟４の居室親機１０はインターホン回線（専用線）Ｌ１を介して、集合玄関機２０はインターホン回線Ｌ２を介して、管理室親機３０はインターホン回線Ｌ３を介して、それぞれ棟制御部４０に接続されている。管理棟５の管理玄関機５０はインターホン回線Ｌ４を介して、管理室親機６０はインターホン回線Ｌ５を介して、それぞれ管理制御部７０に接続されている。したがって、居室親機１０、集合玄関機２０、および管理室親機３０は、棟制御部４０を経由し、インターネットＮを介して、プラットフォームサーバ８０と通信可能に接続されている。管理玄関機５０、および管理室親機６０は、管理制御部７０を経由し、インターネットＮを介して、プラットフォームサーバ８０と通信可能に接続されている。なお、居室親機１０、集合玄関機２０、および管理室親機３０と棟制御部４０との間、管理玄関機５０、および管理室親機６０と管理制御部７０との間は、ＬＡＮ：Local Area Networkを介して接続されるようにしてもよい。
【００１６】
また、プラットフォームサーバ８０は、インターネットＮを介して、少なくとも一つのサービスサーバ９０（第二サーバまたはサービスサーバ装置の一例）と通信可能に接続されている。なお、図１に示す例では、プラットフォームサーバ８０は、インターネットＮを介して、２つのサービスサーバ９０と通信可能に接続されている。
【００１７】
居室親機１０は、住居棟３，４の各住居内に設置されている。居室親機１０は、表示部１１、操作部１２、親機ＣＰＵ１３などを有している。親機ＣＰＵ１３の記憶部（図示省略）には、その居室親機を特定する固有情報（例えば居室親機ＩＤ：identification等の識別番号）が記憶されている。集合玄関機２０は、住居棟３，４の集合玄関や共用スペース等に設置されている。集合玄関機２０は、表示部２１、操作部２２、カメラ２３、玄関機ＣＰＵ２４などを有している。玄関機ＣＰＵ２４の記憶部（図示省略）には、その集合玄関機を特定する固有情報（例えば集合玄関機ＩＤ等の識別番号）が記憶されている。管理室親機３０は、住居棟３，４の管理室に設置されている。管理室親機３０は、表示部３１、操作部３２、通話部３３、管理室ＣＰＵ３４などを有している。管理室ＣＰＵ３４の記憶部（図示省略）には、その管理室親機を特定する固有情報（例えば管理室親機ＩＤ等の識別番号）が記憶されている。居室親機１０と集合玄関機２０と管理室親機３０とは、棟制御部４０を経由して、相互に通信可能に構成されている。
【００１８】
棟制御部４０は、例えば住居棟３，４の管理室などに設置されている。棟制御部４０は、制御部ＣＰＵ４１、配信サーバ４２などを有している。制御部ＣＰＵ４１の記憶部（図示省略）には、インターホン回線上において、その棟制御部を特定するための固有情報（例えば棟制御部ＩＤ等の識別番号）が記憶されている。また、制御部ＣＰＵ４１の記憶部には、インターネットＮ上において各棟制御部４０を識別することが可能なＩＰ（Internet Protocol）アドレスが記憶されている。
【００１９】
棟制御部４０の制御部ＣＰＵ４１は、インターホン回線を介して接続される自棟内の居室親機１０と、集合玄関機２０と、管理室親機３０との間の通信等を制御する。また、制御部ＣＰＵ４１は、インターネットＮを介して接続されるプラットフォームサーバ８０との間の通信等を制御する。例えば、制御部ＣＰＵ４１は、居室親機１０、集合玄関機２０、および管理室親機３０からインターホン回線Ｌ１、Ｌ２、およびＬ３を介して送信されたデータを、インターネットＮを介してプラットフォームサーバ８０へ送信する。また、制御部ＣＰＵ４１は、同様に、プラットフォームサーバ８０から送信されてくるデータを居室親機１０、集合玄関機２０、および管理室親機３０へ送信する。
【００２０】
配信サーバ４２には、インターネットＮを介して、プラットフォームサーバ８０から送信されてくるデータが保存される。配信サーバ４２に保存されたデータは、インターホン回線Ｌ１、Ｌ２、およびＬ３を介して、それぞれ居室親機１０、集合玄関機２０、および管理室親機３０に向けて配信される。配信されたデータは、居室親機１０の表示部１１、集合玄関機２０の表示部２１、および管理室親機３０の表示部３１に表示される。
【００２１】
管理棟５は、住居Ａ棟３および住居Ｂ棟４を管理することができるように構成されている。管理棟５は、管理玄関機５０と、管理室親機６０と、管理制御部７０とを備えている。管理玄関機５０は、管理棟５の玄関に設置されており、表示部５１、操作部５２、カメラ５３、管理玄関ＣＰＵ５４などを有している。管理玄関ＣＰＵ５４の記憶部（図示省略）には、その管理玄関機を特定する固有情報（例えば管理玄関機ＩＤ等の識別番号）が記憶されている。管理室親機６０は、管理棟５の管理室に設置されており、表示部６１、操作部６２、通話部６３、管理室ＣＰＵ６４などを有している。管理室ＣＰＵ６４の記憶部（図示省略）には、その管理室親機を特定する固有情報（例えば管理室親機ＩＤ等の識別番号）が記憶されている。
【００２２】
管理制御部７０は、管理棟５の管理室などに設置されている。管理制御部７０は、管理制御部ＣＰＵ７１、配信サーバ７２などを有している。管理制御部ＣＰＵ７１の記憶部（図示省略）には、インターホン回線上において、その管理制御部を特定するための固有情報（例えば管理制御部ＩＤ等の識別番号）が記憶されている。また、管理制御部ＣＰＵ７１の記憶部には、インターネットＮ上において管理制御部を識別することが可能なＩＰアドレスが記憶されている。
【００２３】
管理制御部７０の管理制御部ＣＰＵ７１は、インターホン回線Ｌ４，Ｌ５を介して接続される管理玄関機５０と管理室親機６０との間の通信等を制御する。また、管理制御部ＣＰＵ７１は、インターネットＮを介して接続されるプラットフォームサーバ８０との間の通信等を制御する。例えば、管理制御部ＣＰＵ７１は、管理玄関機５０、および管理室親機６０からインターホン回線Ｌ４，Ｌ５を介して送信されてくるデータを、インターネットＮを介してプラットフォームサーバ８０へ送信する。また、管理制御部ＣＰＵ７１は、同様に、プラットフォームサーバ８０から送信されてくるデータを管理玄関機５０、および管理室親機６０へ送信する。
【００２４】
配信サーバ７２には、インターネットＮを介して、プラットフォームサーバ８０から送信されてくるデータが保存される。配信サーバ７２に保存されたデータは、インターホン回線Ｌ４，Ｌ５を介して管理玄関機５０および管理室親機６０にそれぞれ配信され、管理玄関機５０の表示部５１や管理室親機６０の表示部６１に表示される。
【００２５】
また、管理棟５の管理制御部７０は、インターネットＮを介して、住居Ａ棟３および住居Ｂ棟４の各棟制御部４０とそれぞれ通信可能に接続されている。管理制御部７０は、棟制御部４０から各居室親機１０へのデータ送信を制御することができるように構成されている。例えば、管理制御部７０は、プラットフォームサーバ８０から棟制御部４０の配信サーバ４２に送信されたデータが各居室親機１０へ配信されるのを、管理室親機６０からの入力操作によって配信規制することができるように構成されている。
【００２６】
プラットフォームサーバ８０は、住居棟３，４の棟制御部４０および管理棟５の管理制御部７０（集合住宅２側）とサービスサーバ９０（サービス提供者側）との間を中継するための中継サーバとして機能する。プラットフォームサーバ８０は、例えば、集合住宅２の管理棟５、あるいは住居Ａ棟３や住居Ｂ棟４の管理室等に設置されている。また、プラットフォームサーバ８０は、集合住宅２を管理する管理会社に設置されていてもよい。プラットフォームサーバ８０は、例えばクラウドサーバであってもよい。
【００２７】
プラットフォームサーバ８０には、サービスサーバ９０から送信されてくるデータを所定の形態のデータに変換して住居棟３，４の棟制御部４０および管理棟５の管理制御部７０へ送信するための複数のテンプレートデータが保存されている。プラットフォームサーバ８０には、例えば、プラットフォームサーバ８０を管理する管理会社のパーソナルコンピュータがインターネットＮを介して通信可能に接続されている。プラットフォームサーバ８０に保存されるテンプレートデータは、管理会社のパーソナルコンピュータを用いてアップロードされる。また、テンプレートデータは、追加、更新等されるごとにプラットフォームサーバ８０にアップロードすることができる。
【００２８】
サービスサーバ９０は、集合住宅２の居住者等に対して所定のサービスを提供するサービス提供者が管理するサーバである。サービスサーバ９０には、サービス提供者から集合住宅２の居住者等へ提供可能なサービスに関連付けられたコンテンツデータが保存されている。サービスサーバ９０の記憶部（図示省略）には、インターネットＮ上においてサービスサーバ９０を識別することが可能なＩＰアドレスが記憶されている。
【００２９】
集合住宅２の居住者等に対して提供されるサービスには、例えば、タクシー会社が提供するタクシー配車のサービス、電力会社等が提供するエネルギー使用状況を見える化するサービス（例えば、ＨＥＭＳ：Home Energy Management System、ＭＥＭＳ：Mansion Energy Management System）、マンション管理会社が提供するマンション施設（ゲストルーム、来客用駐車場、会議室等）の予約サービスがある。また、この他に提供されるサービスとして、例えば、立体駐車場の出庫指示や待ち台数確認、ＳＮＳ（Social Networking Service）の内容表示確認、エアコンなどの家電操作、家族の安否確認、各住居の防犯設定、特売情報などの広告表示、地域防犯情報の表示、生活必需品などのネットショッピング、ジムや美容院やクリニックなどの近隣施設の予約、全国瞬時警報システム（j-ALERT）による緊急情報、バスの時刻表、電車遅延などの交通情報、天気情報、宅配ロッカーの着荷情報、電気自動車の充電状況表示等のサービスがある。
【００３０】
図２は、プラットフォームサーバ８０の機能を説明するブロック図である。図２に示すように、プラットフォームサーバ８０は、保持部８１と、受信部８２と、変換部８３と、送信部８４と、サーバ制御部８５と、通信インタフェース（以下、通信Ｉ／Ｆと称する）８７，８８と、を備えている。
【００３１】
保持部８１には、棟制御部４０および管理制御部７０とサービスサーバ９０との間のデータ通信を中継するために必要なプラットフォームデータが保持されている。プラットフォームデータには、例えば、データの形態を変換するための上記複数のテンプレートデータが含まれる。また、保持部８１には、インターネットＮ上においてプラットフォームサーバ８０を識別することが可能なＩＰアドレスが保持されている。
【００３２】
受信部８２は、例えば、サービスサーバ９０から送信されてくるコンテンツデータを、インターネットＮを通じて受信する。また、受信部８２は、例えば、棟制御部４０および管理制御部７０から送信されてくる所定のサービスを要求するための指示信号を、インターネットＮを通じて受信する。また、受信部８２は、上記指示信号に対して応答するためにサービスサーバ９０から送信されてくる応答信号を、インターネットＮを通じて受信する。
【００３３】
変換部８３は、サービスサーバ９０から送信されてくるコンテンツデータを、保持部８１に保持されている所定のテンプレートデータに基づいて、棟制御部４０および管理制御部７０へ送信するためのコンテンツ表示用データへ変換する。例えば、変換部８３は、コンテンツデータを、所定のテンプレートデータに基づいて、棟制御部４０に接続されている居室親機１０の表示部１１に表示可能な形態のコンテンツ表示用データへ変換する。また、例えば、変換部８３は、コンテンツデータを、所定のテンプレートデータに基づいて、棟制御部４０に接続されている集合玄関機２０の表示部２１または管理室親機３０の表示部３１に表示可能な形態のコンテンツ表示用データへ変換する。また、例えば、変換部８３は、コンテンツデータを、所定のテンプレートデータに基づいて、管理制御部７０に接続されている管理玄関機５０の表示部５１または管理室親機６０の表示部６１に表示可能な形態のコンテンツ表示用データへ変換する。
【００３４】
送信部８４は、例えば、変換部８３によって変換されたコンテンツ表示用データを、インターネットＮを通じて、棟制御部４０および管理制御部７０へ送信する。また、送信部８４は、例えば、棟制御部４０および管理制御部７０から送信されてくる指示信号を、インターネットＮを通じて、所定のサービスサーバ９０へ送信する。また、送信部８４は、例えば、サービスサーバ９０から送信されてくる応答信号を、インターネットＮを通じて、棟制御部４０および管理制御部７０へ送信する。
【００３５】
サーバ制御部８５は、保持部８１、受信部８２、変換部８３、および送信部８４を制御することにより、棟制御部４０および管理制御部７０とサービスサーバ９０との間の通信を行う。通信Ｉ／Ｆ８７は、サービスサーバ９０とプラットフォームサーバ８０との間におけるインターネットＮを介した信号伝送路を形成する。通信Ｉ／Ｆ８８は、プラットフォームサーバ８０と棟制御部４０および管理制御部７０との間におけるインターネットＮを介した信号伝送路を形成する。
【００３６】
次に、インターホンシステム１の動作例について、図３および図４に示すフローチャートと図５に示す表示画面とを参照して説明する。本動作例では、サービスサーバ９０から提供されるサービス情報が集合住宅２の居室親機１０に表示される場合について説明する。
【００３７】
図３に示すように、まず、各サービス提供者が提供可能なサービスに関連付けられたコンテンツデータが、サービスサーバ９０にアップロードされる（ステップＳ１０）。次に、サービスサーバ９０は、アップロードされた上記サービスに関連付けられるコンテンツデータを、インターネットＮを通じて、プラットフォームサーバ８０へ送信する（ステップＳ１１）。例えば、サービスに関連付けられたコンテンツデータは、タクシー会社の配車に関連付けられたデータ、電力会社のエネルギー使用状況に関連付けられたデータ、マンション管理会社のマンション施設の予約に関連付けられたデータ等である。
【００３８】
プラットフォームサーバ８０のサーバ制御部８５は、各サービスサーバ９０から送信されてくるサービスに関連付けられたコンテンツデータを受信部８２で受信し、受信したコンテンツデータを各サービスサーバ９０と関連付けて保持部８１に保持する（ステップＳ１２）。次に、サーバ制御部８５は、変換部８３を制御して、受信したコンテンツデータを、予め保持部８１に保持されている例えば「サービス一覧」用のテンプレートに基づいて、居室親機１０の表示部１１に表示可能な形態のサービス一覧表示用データ（コンテンツ表示用データの一例）へと変換する（ステップＳ１３）。次に、サーバ制御部８５は、変換されたサービス一覧表示用データを、インターネットＮを通じて、送信部８４から集合住宅２の棟制御部４０へ送信する（ステップＳ１４）。
【００３９】
棟制御部４０の制御部ＣＰＵ４１は、プラットフォームサーバ８０から送信されてきたサービス一覧表示用データを配信サーバ４２に保存する（ステップＳ１５）。次に、制御部ＣＰＵ４１は、配信サーバ４２に保存されたサービス一覧表示用データを、インターホン回線Ｌ１を通じて、各居室親機１０へ送信する（ステップＳ１６）。
【００４０】
各居室親機１０の親機ＣＰＵ１３は、棟制御部４０から送信されてきたサービス一覧表示用データを、サービス一覧画面として表示部１１に表示する（ステップＳ１７）。具体的には、表示部１１には、例えば、図５（ａ）に示すような「サービス一覧」の画面が表示される。
【００４１】
次に、居室親機１０の表示部１１に表示された「サービス一覧」の画面（図５（ａ）参照）において、タクシー情報を確認するための「タクシー配車」ボタン１１ａが、例えば、住居Ａ棟３における１０１号室の居住者によって押下されたとする（ステップＳ１８）。「タクシー配車」ボタン１１ａの押下に基づいて、１０１号室の居室親機１０は、タクシー情報を要求する指示信号を、インターホン回線Ｌ１を通じて、棟制御部４０へ送信する（ステップＳ１９）。
【００４２】
棟制御部４０の制御部ＣＰＵ４１は、１０１号室の居室親機１０から送信されてきた指示信号を配信サーバ４２に保存する（ステップＳ２０）。次に、制御部ＣＰＵ４１は、インターネットＮを通じて、指示信号をプラットフォームサーバ８０へ送信する（ステップＳ２１）。
【００４３】
プラットフォームサーバ８０のサーバ制御部８５は、住居Ａ棟３の棟制御部４０から送信されてきた指示信号を受信部８２で受信すると、当該タクシー情報を要求する指示信号に対応するタクシー情報表示用データ（コンテンツ表示用データの一例）を、保持部８１から読み出す（ステップＳ２２）。次に、サーバ制御部８５は、読み出したタクシー情報表示用データを、インターネットＮを通じて、送信部８４から住居Ａ棟３の棟制御部４０へ送信する（ステップＳ２３）。
【００４４】
棟制御部４０の制御部ＣＰＵ４１は、プラットフォームサーバ８０から送信されてきたタクシー情報表示用データを配信サーバ４２に保存する（ステップＳ２４）。次に、制御部ＣＰＵ４１は、タクシー情報表示用データを、インターホン回線Ｌ１を通じて、１０１号室の居室親機１０へ送信する（ステップＳ２５）。
【００４５】
１０１号室の居室親機１０の親機ＣＰＵ１３は、棟制御部４０から送信されてきたタクシー情報表示用データを、表示部１１に表示する（ステップＳ２６）。具体的には、表示部１１には、例えば、図５（ｂ）に示すような「タクシー情報」の画面が表示される。
【００４６】
次に、図４に示すように、１０１号室の居室親機１０の表示部１１に表示された「タクシー情報」の画面（図５（ｂ）参照）において、タクシーの配車を要求するための「タクシーを呼ぶ」ボタン１１ｂが押下されたとする（ステップＳ２７）。「タクシーを呼ぶ」ボタン１１ｂの押下に基づいて、１０１号室の居室親機１０は、タクシーの配車を要求する指示信号を、インターホン回線Ｌ１を通じて、棟制御部４０へ送信する（ステップＳ２８）。
【００４７】
棟制御部４０の制御部ＣＰＵ４１は、１０１号室の居室親機１０から送信されてきた指示信号を配信サーバ４２に保存する（ステップＳ２９）。次に、制御部ＣＰＵ４１は、インターネットＮを通じて、指示信号をプラットフォームサーバ８０へ送信する（ステップＳ３０）。指示信号には、タクシー配車を要求したユーザの情報として、例えば１０１号室の居住者名、電話番号等が含まれる。
【００４８】
プラットフォームサーバ８０のサーバ制御部８５は、棟制御部４０から送信されてきた指示信号を受信部８２で受信すると、インターネットＮを通じて、当該指示信号を送信部８４からタクシー会社のサービスサーバ９０へ送信する（ステップＳ３１）。
【００４９】
タクシー会社のサービスサーバ９０は、プラットフォームサーバ８０から送信されてきた指示信号に対して、配車到着予定時間、タクシー会社名、配車番号等を含む応答信号を、インターネットＮを通じて、プラットフォームサーバ８０へ送信する（ステップＳ３２）。
【００５０】
プラットフォームサーバ８０のサーバ制御部８５は、タクシー会社のサービスサーバ９０から送信されてきた応答信号を受信部８２で受信し、当該応答信号をタクシー会社のサービスサーバ９０と関連付けて保持部８１に保持する（ステップＳ３３）。次に、サーバ制御部８５は、変換部８３を制御して、応答信号（配車到着予定時間、タクシー会社名、配車番号等）を、予め保持部８１に保持されている「配車応答」用のテンプレートに基づいて、居室親機１０の表示部１１に表示可能な形態の配車応答表示用データ（コンテンツ表示用データの一例）へと変更する（ステップＳ３４）。サーバ制御部８５は、変換部８３で変更された配車応答表示用データを、送信部８４からインターネットＮを通じて住居Ａ棟３の棟制御部４０へ送信する（ステップＳ３５）。
【００５１】
棟制御部４０の制御部ＣＰＵ４１は、プラットフォームサーバ８０から送信されてきた配車応答表示用データを配信サーバ４２に保存する（ステップＳ３６）。次に、制御部ＣＰＵ４１は、配車応答表示用データを、インターホン回線Ｌ１を通じて、１０１号室の居室親機１０へ送信する（ステップＳ３７）。
【００５２】
１０１号室の居室親機１０の親機ＣＰＵ１３は、棟制御部４０から送信されてきた配車応答表示用データを、表示部１１に表示する（ステップＳ３８）。具体的には、表示部１１には、例えば、図５（ｃ）に示すような「配車応答」の画面が表示される。
【００５３】
なお、本例では居室親機１０にサービス情報が表示される動作について説明したが、これに限られない。例えば、集合玄関機２０、管理室親機３０、管理玄関機５０、および管理室親機６０にも同様にしてサービス情報を表示させることが可能である。
【００５４】
ところで、タクシー配車のサービス、エネルギーの使用状況を見える化するサービス、マンション施設の予約サービス等を、インターネットを通じて集合住宅の居住者に向けて提供する場合、従来は、各サービスの提供者が各居室親機の表示部に適合した方式のコンテンツページを作成する必要があり、処理が煩雑であった。
【００５５】
これに対して、上記構成のインターホンシステム１では、プラットフォームサーバ８０が、サービスサーバ９０から送信されたコンテンツデータを適式な方式のコンテンツ表示用データへと変換し、当該コンテンツ表示用データを居室親機１０に送信している。このため、各コンテンツデータのサービス提供元である各サービス提供者が、各居室親機１０に適合したコンテンツ表示用データを開発する必要がない。また、例えば、サービスサーバ９０からのデータ通信方式の変更や更新があった場合でも、プラットフォームサーバ８０により通信方式の変更等に対応することができる。このため、サービスサーバ９０との間でデータ通信を行う各居室親機１０で通信方式の変更を行う必要がない。したがって、インターホンシステム１によれば、種々のコンテンツ表示用データを居室親機１０に簡便に表示することができる。また、プラットフォームサーバ８０によれば、種々のコンテンツ表示用データを居室親機１０に簡便に表示可能なプラットフォームを提供することができる。
【００５６】
また、本実施形態に係るインターホンシステム１では、例えば居室親機１０からのユーザ入力に基づくサービス要求（指示信号）があった場合、サービスサーバ９０からの応答信号を、プラットフォームサーバ８０が所定のテンプレートに基づいて、居室親機１０で表示可能な形態のコンテンツ表示用データへと変更する。このため、サービスサーバ９０は、応答信号のみをプラットフォームサーバ８０へ送信すればよく、変更されたコンテンツ表示用データを提供する必要がない。したがって、インターホンシステム１によれば、コンテンツ表示用データを用いたコンテンツページの切り替え等をサービス提供者側に負担をかけることなく行うことができる。
【００５７】
また、本実施形態に係るインターホンシステム１では、居室親機１０が棟制御部４０を介してインターネットＮに接続される方式を採用している。このため、集合住宅の全住居にインターネット接続のサービスを一括で提供する全戸一括型のインターネット接続サービスを導入していない集合住宅においても、本インターホンシステム１を導入することができる。
【００５８】
（変形例）
図６は、上述したインターホンシステム１の変形例を示す構成図である。図６に示すように、変形例に係るインターホンシステム１Ａは、各居室親機１０が、例えばハブ（ＨＵＢ）１００により分配されてインターネットＮに直接接続されている点で、各居室親機１０がインターホン回線Ｌ１を通じて接続された棟制御部４０を介してインターネットＮに（間接的に）接続されているインターホンシステム１と相違する。このため、各居室親機１０とプラットフォームサーバ８０との間の通信は、上記インターホンシステム１における棟制御部４０を通じた通信とは異なり、棟制御部４０を介さないで、各居室親機１０とプラットフォームサーバ８０との間で直接行われる。
【００５９】
例えば、居室親機１０からユーザ入力に基づくサービス要求（例えば、タクシー配車ボタン１１ａの押下）があった場合、インターホンシステム１Ａでは、居室親機１０から出力される指示信号（タクシー情報を要求する信号）を、インターネットＮを通じて、プラットフォームサーバ８０へ直接送信する。また、上記指示信号を受信したプラットフォームサーバ８０は、上記指示信号に対応するコンテンツ表示用データ（タクシー情報表示用データ）を、インターネットＮを通じて、居室親機１０へ直接送信する。同様に、居室親機１０から例えばタクシーを呼ぶボタン１１ｂの押下があった場合、インターホンシステム１Ａでは、居室親機１０から出力されるタクシーの配車を要求する指示信号を、インターネットＮを通じて、プラットフォームサーバ８０へ直接送信する。また、居室親機１０から出力された上記指示信号に対して、サービスサーバ９０から応答信号（配車到着予定時間、タクシー会社名、配車番号等を含む信号）が出力された場合、プラットフォームサーバ８０は、所定（配車応答用）のテンプレートに基づいて変更したコンテンツ表示用データ（配車応答表示用データ）を、インターネットＮを通じて、居室親機１０へ直接送信する。
【００６０】
このように構成された変形例に係るインターホンシステム１Ａでは、インターネットＮ上において各居室親機１０を識別することが可能なＩＰアドレスが、各居室親機１０の親機ＣＰＵ１３の記憶部（図示省略）に記憶されている。
【００６１】
なお、図６のインターホンシステム１Ａでは、居室親機１０のみがインターネットＮに直接接続されているが、これに限らない。例えば、集合玄関機２０、管理室親機３０、管理玄関機５０、および管理室親機６０がインターネットＮに直接接続されるようにしてもよい。その場合、インターネットＮ上において集合玄関機２０、管理室親機３０、管理玄関機５０、および管理室親機６０を識別することが可能なＩＰアドレスが、集合玄関機２０、管理室親機３０、管理玄関機５０、および管理室親機６０の記憶部にそれぞれ記憶される。
【００６２】
上記構成のインターホンシステム１Ａによれば、上述したインターホンシステム１と同様の効果を得ることができる。また、インターホンシステム１Ａは、全戸一括型のインターネット接続サービスを導入している集合住宅に適している。
【００６３】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【符号の説明】
【００６４】
１，１Ａ：インターホンシステム、２：集合住宅、１０：居室親機、１１：表示部、１２：操作部、１３：親機ＣＰＵ、棟制御部４０（制御装置の一例）、４１：制御部ＣＰＵ、４２：配信サーバ、管理制御部７０（制御装置の一例）、８０：プラットフォームサーバ（第一サーバまたはサーバ装置の一例）、８１：保持部、８２：受信部、８３：変換部、８４：送信部、８５：サーバ制御部、９０：サービスサーバ（第二サーバまたはサービスサーバ装置の一例）、１１ａ：タクシー配車ボタン、１１ｂ：タクシーを呼ぶボタン、１００：ハブ（ＨＵＢ）、Ｌ１〜Ｌ５：インターホン回線、Ｎ：インターネット（外部ネットワークの一例）
【図１】
2020155810.tif 000003
【図２】
2020155810.tif 000004
【図３】
2020155810.tif 000005
【図４】
2020155810.tif 000006
【図５】
2020155810.tif 000007
【図６】
2020155810.tif 000008